(57)【要約】【課題】  鍋などの凹面形状の調理器具や食器の内側を洗浄する場合でも、満遍なく擦ることを容易にして洗い残しが無いようにし、洗う対象物に手の指や手首が当たらないようにして汚れが指や手首に付着することを無くし、また保持し易く指と手にかかる力の負担が少ない保持部付きスポンジたわしを提供する。【解決手段】  指の位置がスポンジたわしの外側になることなくまた手首を曲げることなく保持できるようにするため、スポンジたわし本体（１）の片方の面の中央に、指がスポンジたわし本体の面に対して直角にも平行にも保持される直方体などの形状の保持部（２）を、たわし本体の端から端まで設けることを特徴とする。【選択図】図１
2013202398.tif 000002
【特許請求の範囲】
【請求項１】
スポンジたわし本体（１）の片方の面の中央に、指がスポンジたわし本体の面に対して直角にも平行にも保持される直方体などの形状の保持部（２）を、たわし本体の端から端まで設けた保持部付きスポンジたわし。
【発明の詳細な説明】
【技術分野】
【０００１】この発明は、スポンジたわし本体の片方の面に、直方体などの形状の保持部をたわし本体の端から端まで設けた、洗浄用の保持部付きスポンジたわしに関するものである。
【背景技術】
【０００２】従来、洗浄用スポンジたわしの多くは、例えば特開２００８−９９９１６号に示されているように単に直方体形状になっていた。
【先行技術文献】
【０００３】
【特許文献１】特開２００８−９９９１６
【発明の概要】
【発明が解決しようとする課題】
【０００４】従来、洗浄用スポンジたわしの多くは、例えば特開２００８−９９９１６号に示されているように単に直方体形状であり、図６の如くその本体そのものを鷲づかみの様な持ち方で保持し使用していた。
この持ち方は、指の位置がスポンジたわしの外側になる故、鍋のような凹面形状の内側底面を洗浄する場合、内側側面に手の指や手首が当たり満遍なく擦ることは難しく洗い残しが出やすい。また内側側面についた汚れが指や手首に付着しやすい。
保持し易いかどうかについては、鍋のような凹面形状の内側底面を洗浄する場合は手首を約９０度に曲げなければならず、保持しにくく指と手にかかる力の負担も大きい。
この発明はこの課題を解消するためになされた。
【課題を解決するための手段】
【０００５】スポンジたわし本体（１）の片方の面の中央に、指がスポンジたわし本体の面に対して直角にも平行にもなるように保持される直方体などの形状の保持部（２）を、たわし本体の端から端まで設ける。
その保持部を人差し指と中指で挟むように保持して使用する。
鍋のような凹面形状の内側底面を洗浄する場合は図４の如く、指がスポンジたわし本体の面に対して直角になるように保持部を挟み、内側側面を洗浄する場合は図５の如く、指がスポンジたわし本体の面に対して平行になるように保持部を挟んで使用する。
【発明の効果】
【０００６】スポンジたわし本体（１）の片方の面に設けられた直方体などの形状の保持部（２）を人差し指と中指で挟んで保持するので、鍋のような凹面形状の内側底面や内側側面を洗浄する場合、洗浄する対象物に手の指や手首が当たることがなくなった故、満遍なく擦ることが容易になり洗い残しが出にくくなった。また同様の理由で、手の指や手首に汚れが付着することも無くなった。
保持し易いかどうかについては、鍋のような凹面形状の内側底面を洗う場合は図４の如く手首を曲げなくて済むので保持し易く、指と手にかかる力の負担も少なくなった。
内側側面を洗浄する場合も図５の如く保持部を指で軽く挟めばよいので保持し易く、指と手にかかる力の負担も少ない。
保持部の持ち方を変えることがし易いかどうかについては、保持部が直方体などの長形状になっている故、指がスポンジたわし本体の面に対して直角になるように挟む持ち方からスポンジたわし本体の面に対して平行になるように挟む持ち方に変える場合も、またその逆の場合も、反対側の手を借りることなく素早くスムーズに行える。
【図面の簡単な説明】
【０００７】
【図１】本発明の斜視図である。
【図２】本発明のスポンジたわし本体の平面図である。
【図３】本発明の保持部の平面図である。
【図４】本発明の鍋などの凹面形状の内側底面を洗浄する場合の使用例である。
【図５】本発明の鍋などの凹面形状の内側側面を洗浄する場合の使用例である。
【図６】従来の一般的な直方体形状のスポンジたわしで鍋などの凹面形状の内側底面を洗浄する場合の使用例である。
【発明を実施するための形態】
【０００８】以下、本発明を実施するための形態について説明する。
スポンジたわし本体（１）の片方の面の中央に、指がスポンジたわし本体の面に対して直角にも平行にも保持される直方体などの形状の保持部（２）を、たわし本体の端から端まで設ける。
この保持部（２）を人差し指と中指で挟むように保持して使用する。
その使用方法は、鍋（３）のような凹面形状の内側底面を洗浄する場合は図４の如く、指がスポンジたわし本体の面に対して直角になるように保持部を挟み、内側側面を洗浄する場合は図５の如く、スポンジたわし本体の面に対して平行になるように保持部を挟んで使用する。
本発明のスポンジたわし本体の平面図の形状については、（図２）の如く円と直線を組み合わせた形状、円形、四角形のものも可能である。
円と直線を組み合わせた形状、円形のものは、鍋などの丸い凹面形状のものを洗浄するためであり、四角形のものは四角の凹面形状の容器などを洗浄するためである。
保持部の形状については、直方体形状（図３−１）に限定されず、テーパー形状（図３−２）、ひし形形状（３−３）、円弧形状（図３−４）、側面に凹凸のある形状（３−５）のものも可能である。
保持部を直方体形状にする理由は、指がスポンジたわし本体の面に対して直角になるように挟む持ち方からスポンジたわし本体の面に対して平行になるように挟む持ち方へ移行する時に、あるいはその逆の時も、反対側の手を借りることなく素早く、スムーズに行えるようにするためである。テーパー形状にする理由は、保持部を指がスポンジたわし本体の面に対して平行になるように挟む場合、指がより馴染む持ち方が出来ることを重視する場合のためである。ひし形あるいは円弧形状にするのは、指がたわし本体の面に対して直角になるように挟む持ち方から指がたわし本体の面に対して平行になるように挟む持ち方へ移行する時に、あるいはその逆の時も、より素早く、スムーズに行えるようにする場合のためである。側面に凹凸のある形状にするのは、よりしっかりと保持することを重視する場合のためである。
スポンジたわし本体（１）に保持部（２）を設ける構造は、一体式構造また別要素構造のものも可能である。一体式構造のものはスポンジたわし本体（１）と保持部（２）を同じ材質にして生産性を高める場合のためであり、別要素構造にするものはスポンジたわし本体（１）を面ファスナーによる取り替え式にして、省資源化することを重視する場合のためである。その場合にはスポンジたわし（１）と保持部（２）とを別の材質のものにすることも可能である。
本発明は、以上の構造である。
【符号の説明】
【０００９】（１）スポンジたわし本体
（２）直方体等の形状の保持部
【図１】
2013202398.tif 000003
【図２】
2013202398.tif 000004
【図３】
2013202398.tif 000005
【図４】
2013202398.tif 000006
【図５】
2013202398.tif 000007
【図６】
2013202398.tif 000008